(57)【要約】【課題】外形の大型化を抑制しつつも、中間の電池の放熱性を改善する。【解決手段】一方向に延長された３本以上の電池セル１と、前記電池セル１の放電電流を電力変換する電力変換回路を実装した回路基板３０と、回路基板３０と電気的に接続され、電力変換回路で変換された電力を出力するための出力端子３１と、電池セル１をそれぞれ長手方向と交差する方向に並べて配置した外ケース１０と、を備えており、電池セル１同士の間に間隔を設けると共に、該間隔の少なくとも一の幅を異ならせている。上記構成により、電池セル１間の間隔を不均一とすることで、中間の電池セル１が発熱体である両側の電池セル１から均等に加熱される事態を回避し、放熱性に意図的な不均一を生じさせて自然対流によって熱の移動を促進でき、もって中間の電池セル１が端部の電池セル１よりも高温になって電池セル１間の温度の不均一を低減できる効果が得られる。【選択図】図６
2013246906.tif 000002
【特許請求の範囲】
【請求項１】
一方向に延長された３本以上の電池セルと、
前記電池セルの放電電流を電力変換する電力変換回路を実装した回路基板と、
前記回路基板と電気的に接続され、前記電力変換回路で変換された電力を出力するための出力端子と、
前記電池セルをそれぞれ長手方向と交差する方向に並べて配置した外ケースと、
を備えており、
前記電池セル同士の間に間隔を設けると共に、該間隔の少なくとも一の幅を異ならせてなることを特徴とする電池パック。
【請求項２】
請求項１に記載の電池パックであって、さらに、
電池セル同士の間に介在させて、該電池セル同士を離間させるための離間リブを備えており、
前記離間リブは、
第一の幅を有する第一リブと、
第一の幅よりも広い第二の幅を有する第二リブと、
を含んでいることを特徴とする電池パック。
【請求項３】
請求項２に記載の電池パックであって、
前記外ケースは第一ケースと第二ケースに分割されており、
前記第二リブは、前記第一ケースと第二ケースとを螺合するためのねじ穴を設けてなることを特徴とする電池パック。
【請求項４】
請求項１から３のいずれか一に記載の電池パックであって、
前記外ケース内で、前記回路基板を、前記電池セルの長手方向に並べて配置してなることを特徴とする電池パック。
【請求項５】
請求項４に記載の電池パックであって、さらに、
前記電池セル及び回路基板を支持するための電池ホルダーを備え、
前記外ケース内において、前記３本以上の電池セルを並べた状態で、該電池セルの長手方向側に前記回路基板を配置するよう、前記電池ホルダーでもって規定してなることを特徴とする電池パック。
【請求項６】
請求項１から５のいずれか一に記載の電池パックであって、
前記出力端子が、ＵＳＢ端子であることを特徴とする電池パック。
【請求項７】
請求項１から６のいずれか一に記載の電池パックであって、さらに、
前記電池セルを充電するための充電器に備えられた電力を送出するための送電コイルと電磁結合可能な受電コイルを備え、
前記受電コイルは前記電力変換回路に接続され、前記電力変換回路は、受電コイルで受けた電力を、前記二次電池セルを充電する電力に変換してこれを充電可能に構成してなることを特徴とする電池パック。
【請求項８】
請求項２から７のいずれか一に記載の電池パックであって、
前記第二の幅を、第一の幅の３倍以上としてなることを特徴とする電池パック。
【発明の詳細な説明】
【技術分野】
【０００１】
本発明は、外装ケースに充電可能な二次電池を内蔵した電池パックに関し、特に外部に接続される電気機器に電力を供給可能な携帯式の電源として利用可能な電池パックに関する。
【背景技術】
【０００２】
内部に一対の円筒形電池を内蔵する電池パックは開発されている（特許文献１参照）。この電池パックは、図１２の分解斜視図に示すように電気機器の携帯式の電源として使用されるものであり、一対の円筒形電池２０１の間に絶縁ホルダー２０３を配置して、この絶縁ホルダー２０３でもって円筒形電池２０１と回路基板２０４とを定位置に配置して電池組立２０９とし、この電池組立２０９を外ケース２０２に収納している。
【先行技術文献】
【特許文献】
【０００３】
【特許文献１】特開２００９−１３１０８９号公報
【発明の概要】
【発明が解決しようとする課題】
【０００４】
このような電池パックでは、内蔵した電池が、充放電されることによって発熱する。特に近年の電気機器の高出力化の要求、及び充電時間の短縮化の要求により、電池容量の大容量化と充放電電流の増大化が進む傾向にある。このため発熱量も大きくなる傾向にあり、放熱対策が必要となる。特に、二本の電池を外ケース内に収納する場合は、ケースの左右から放熱できるものの、３本以上の電池では、中央に配置された電池は、発熱体である両隣の電池に挟まれるため、放熱性が悪くなる。放熱性は電池セルの劣化度合いに影響を与える。
【０００５】
複数の電池セルを使用する電池パックで、各電池セルの放熱性能が異なると、放熱性の劣る電池セルの劣化が他の電池セルよりも進行することがある。特に電池セルの劣化は、セル電池や容量などにも影響を与えるため、一部の電池セルの容量が低下すると、他の電池セルの容量が大きくても、容量の小さい電池セルによって充電可能な電気量が規定されてしまうため、電池パック全体の性能に影響を与えることとなって好ましくない。これを防止するためには、電池セル間の性能差を低減する必要があり、このためには各電池セルの放熱性の差を少なくすることが望まれる。
【０００６】
放熱性を改善するには、電池セル間を離間させることが考えられるが、この構成では、電池セルを配置するために必要な空間が増大し、外ケースの大型化を招く。この結果、電池パックが嵩張って携行性が悪くなり、利便性を低下させる。
【０００７】
加えて、このような電池パックには、電池セルの電力を適切な放電電流に変換するための電力変換回路を実装した回路基板を備えている。このような電力変換回路は、トランジスタなどのパワー系半導体素子で構成されているため、これらの素子も通電によって発熱する。上記図１２に示す構成では、このような回路基板は電池セルと重ねて配置しているところ、複数本の電池セルを並べて配置すると、特に中間の電池セルの放熱性をさらに悪化させる要因となる。
【０００８】
本発明は、従来のこのような問題点を解決するためになされたものである。本発明の主な目的は、中間の電池の放熱性を改善しつつも、外形の大型化を抑制可能な電池パックを提供することにある。
【課題を解決するための手段及び発明の効果】
【０００９】
上記の目的を達成するため、本発明の第１の側面に係る電池パックによれば、一方向に延長された３本以上の電池セルと、前記電池セルの放電電流を電力変換する電力変換回路を実装した回路基板と、前記回路基板と電気的に接続され、前記電力変換回路で変換された電力を出力するための出力端子と、前記電池セルをそれぞれ長手方向と交差する方向に並べて配置した外ケースと、を備えており、前記電池セル同士の間に間隔を設けると共に、該間隔の少なくとも一の幅を異ならせることができる。上記構成により、電池セル間の間隔を不均一とすることで、中間の電池セルが発熱体である両側の電池セルから均等に加熱される事態を回避し、放熱性に意図的な不均一を生じさせて自然対流によって熱の移動を促進でき、もって中間の電池セルが端部の電池セルよりも高温になって電池セル間の温度の不均一を低減できる効果が得られる。
【００１０】
また、第２の側面に係る電池パックによれば、さらに電池セル同士の間に介在させて、該電池セル同士を離間させるための離間リブを備えており、前記離間リブは、第一の幅を有する第一リブと、第一の幅よりも広い第二の幅を有する第二リブと、を含むことができる。上記構成により、離間リブの横幅を変更することで、電池セル間の間隔を任意に調整できる。
【００１１】
さらに、第３の側面に係る電池パックによれば、前記外ケースは第一ケースと第二ケースに分割されており、前記第二リブは、前記第一ケースと第二ケースとを螺合するためのねじ穴を設けることができる。上記構成により、幅広のリブでもって外ケースの螺合を可能とし、外ケースの中間部位で螺合可能として、外ケースの機械的結合の強度を向上できる。
【００１２】
さらにまた、第４の側面に係る電池パックによれば、前記外ケース内で、前記回路基板を、前記電池セルの長手方向に並べて配置することができる。上記構成により、回路基板を電池の上面に重ねて配置するのでなく、側面に配置したことで、回路基板上に実装されたパワー系半導体の発熱が電池側に及ぶ事態を回避でき、もって放熱性の改善を図ることができる。加えて、電池同士の間に基板を配置して横幅がさらに増すことを避け、デザイン性の悪化を回避できる効果も得られる。
【００１３】
さらにまた、第５の側面に係る電池パックによれば、さらに前記電池セル及び回路基板を支持するための電池ホルダーを備え、前記外ケース内において、前記３本以上の電池セルを並べた状態で、該電池セルの長手方向側に前記回路基板を配置するよう、前記電池ホルダーでもって規定することができる。上記構成により、電池ホルダーでもって回路基板を電池と重複しないように外ケース内に配置できる。
【００１４】
さらにまた、第６の側面に係る電池パックによれば、前記出力端子をＵＳＢ端子とできる。上記構成により、広く普及した規格化された端子を用いて充放電ができ、汎用性が高められる。
【００１５】
さらにまた、第７の側面に係る電池パックによれば、さらに前記電池セルを充電するための充電器に備えられた電力を送出するための送電コイルと電磁結合可能な受電コイルを備え、前記受電コイルは前記電力変換回路に接続され、前記電力変換回路は、受電コイルで受けた電力を、前記二次電池セルを充電する電力に変換してこれを充電可能に構成できる。上記構成により、受電コイルを充電器の送電コイルと電磁結合させて、電池パックの電池セルを無接点で充電できる。
【００１６】
さらにまた、第８の側面に係る電池パックによれば、前記第二の幅を、第一の幅の３倍以上とすることができる。上記構成により、電池セル間の放熱性を意図的に異ならせて放熱性の相違による熱の移動を誘起させ、もって放熱性を向上させることが可能となる。
【図面の簡単な説明】
【００１７】
【図１】実施例１に係る電池パックを示す斜視図である。
【図２】図１の電池パックで電気機器を充電する様子を示す斜視図である。
【図３】図１の電池パックの分解斜視図である。
【図４】図３の電池パックを斜め下方から見た分解斜視図である。
【図５】図３の電池ホルダーから電池セル及び回路基板を外した状態を示す分解斜視図である。
【図６】図１の電池パックのＶＩ−ＶＩ線における水平断面図である。
【図７】電池パックを有線で充電する様子を示す斜視図である。
【図８】電池パックを充電台に載置して充電する様子を示す斜視図である。
【図９】図１の電池パックのＩＸ−ＩＸ線における垂直断面図である。
【図１０】図１の電池パックのＸ−Ｘ線における垂直断面図である。
【図１１】実施例２に係る電池パックを斜め下方から見た分解斜視図である。
【図１２】従来の電池パックを示す分解斜視図である。斜視図である。
【発明を実施するための形態】
【００１８】
以下、本発明の実施の形態を図面に基づいて説明する。ただし、以下に示す実施の形態は、本発明の技術思想を具体化するための電池パックを例示するものであって、本発明は電池パックを以下のものに特定しない。具体的には、特許請求の範囲に示される部材を、実施の形態の部材に特定するものでは決してない。特に実施の形態に記載されている構成部材の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
（実施例１）
【００１９】
以下、本発明の実施例１に係る電池パック１００を、図１〜図４に示す。これらの図において、図１は実施例１に係る電池パック１００を示す斜視図、図２は図１の電池パック１００で電気機器ＢＤを充電する様子を示す斜視図、図３は図１の電池パック１００の分解斜視図、図４は図３の電池パック１００を斜め下方から見た分解斜視図を、それぞれ示している。この電池パック１００は、内部に電池セル１を３本内蔵しており、外部に表出させた出力端子３１から、電池セル１の電力を放電して、外部に接続した電気機器ＢＤを駆動、あるいは電気機器ＢＤに内蔵される二次電池を充電できる。図２に示す例では、ＵＳＢケーブルを介して電気機器ＢＤである携帯電話を充電している。
（外ケース１０）
【００２０】
この電池パック１００は、外ケース１０と、外ケース１０内に収納される電池セル１や回路基板３０等を装着した電池ホルダー２０で構成される。電池パック１００の外観を構成する外ケース１０は、外形を面取りした箱形としている。ここでは平面視を長方形状とした矩形状に形成し、両側端面をトラック形状とし側面を湾曲させている。このような面取り形状とすることで、エッジ部分を少なくして携行に便利とできる。また外ケース１０は、絶縁性に優れた樹脂製、例えばポリカーボネート製とする。さらに外ケース１０の大きさは、電池セル１を平行に並べた状態で、さらに電池セル１の端面側に回路基板３０を配置した状態で、これらの部材を収納できる大きさに設計される。
【００２１】
外ケース１０の一方の端面には、出力端子３１と給電端子３２が設けられる。外ケース１０の端面には、これら出力端子３１と給電端子３２を表出させる窓部１４を形成している。ここでは、出力端子３１を２つ、給電端子３２を１つ、それぞれ設けている。これら出力端子３１や給電端子３２は、規格化された端子とすることで、汎用性を高めることができる。図１等の例では広く普及しているＵＳＢ端子を利用しており、出力端子３１をＵＳＢ端子（Ａ端子）とし、給電端子３２をマイクロＵＳＢ端子としている。
【００２２】
さらに外ケース１０の上面には、釦３３が設けられている。このため外ケース１０の上面にも、釦３３を表出させるための窓部１４が開口される。釦３３は電源スイッチや放電開始スイッチ等とできる。
【００２３】
これら釦３３や出力端子３１、給電端子３２は、後述する回路基板３０上に実装される。回路基板３０は、電池ホルダー２０に固定され、電池ホルダー２０を外ケース１０に収納した状態で、これら釦３３や出力端子３１、給電端子３２を外ケース１０に開口された各窓部１４から表出されるように構成される。
【００２４】
外ケース１０は、図３、図４に示すように第一ケース１１と第二ケース１２に二分割されている。これら第一ケース１１と第二ケース１２は、ねじ４２により固定される。このため第一ケース１１、第二ケース１２の内面にはそれぞれ、ねじ止めのためのボス１６が設けられる。ここでは２箇所にボス１６を設けており、一方を後述する第二リブ１９に貫通させ、他方を電池ホルダー２０及び回路基板３０を貫通させるようにしている。これらのボス１６は、外ケース１０内部の中間で対角線状に離間させて配置されており、機械的強度を向上できる。
【００２５】
さらに第一ケース１１と第二ケース１２とを接合させる周縁には、係止構造が設けられている。ここでは第一ケース１１の周縁の内側に、爪状に突出させた突起を設け、一方第二ケース１２の周縁には、突起と対応する位置にこれを嵌入するためのスリットが開口される。これにより、突起をスリットに嵌入して、第一ケース１１と第二ケース１２の接合面を閉塞できる。なお、突起とスリットは、第一ケース１１と第二ケース１２で入れ替えてもよいことはいうまでもない。
（電池ホルダー２０）
【００２６】
電池ホルダー２０は、外ケース１０内に電池セル１や回路基板３０等を装着して、これらを位置決めして保持する。この電池ホルダー２０は、図５に示すように、複数本の電池セル１をそれぞれ長手方向と交差する方向に並べて配置し、さらに電池セル１の長手方向に回路基板３０を配置する。このように配置することで、電池セル１の放熱性を改善できる。すなわち、従来の構成では図１２等に示すように、電池セル１と重ねるように回路基板３０を配置する結果、回路基板３０に実装されたパワー系半導体等の発熱によって電池セル１の放熱性が阻害される虞があった。これに対して図５、図６等の構成では、回路基板３０を電池の上面に重ねて配置するのでなく、電池セル１の端面側に配置したことで、回路基板３０上に実装された部材の発熱が電池側に及ぶ事態を回避でき、もって電池セル１の放熱性、及び回路基板３０に実装された部材自体の放熱性も改善することができる。加えて、電池に重ねて基板を配置する構成では、横方向に広がって大型化するところ、このような肥大化を回避して、電池パック１００のデザイン性の悪化を回避できる効果も得られる。
【００２７】
ここでは、電池ホルダー２０に３本の円筒形電池セル１を収納している。ただ本発明の電池パックは、電池セルの本数を３本に限定せず、４本以上とすることもできる。電池セルの本数は、求められる電気容量や外形の大きさ、重さなどの条件に応じて決定される。
（電池セル１）
【００２８】
電池セル１は、外形を円筒状とする二次電池セルが利用できる。このような電池セル１としては、リチウムイオン二次電池やニッケル水素電池、ニッケルカドミウム電池等が利用できる。中でも、リチウムイオン二次電池は体積あたりの電気容量が高く、小型化に適しており携行可能な電池パック１００として好ましい。ここでは１８６５０型のリチウムイオン二次電池を利用している。
（離間リブ）
【００２９】
これら電池セル１を、平行姿勢で保持するために電池ホルダー２０は、複数の離間リブを設けている。離間リブを電池セル１同士の間に介在させることで、隣接する電池セル１の側面同士を離間させて絶縁を図ると共に、電池セル１の発熱が隣接する電池セル１に伝搬し難いようにできる。また、離間リブの幅を変更することで、電池セル１間の間隔を任意に調整できる。
【００３０】
図５及び図６の例では、離間リブは、第一の幅ｄ1を有する第一リブ１８と、この第一の幅ｄ1よりも幅広の第二の幅ｄ2とした第二リブ１９とで構成される。このように離間リブの幅を一定とせず、意図的に異ならせることで、電池セル１間の温度差を低減できる。すなわち、電池セルを３本並べる配置では、側面に配置された電池セルは、中央の電池セルと面する側では放熱性が悪くなるものの、外ケースに面した側では外ケースを通じて外部に放熱できるため、ある程度の放熱性能を確保できる。その一方で、中央の電池セルでは、両側を発熱体である他の電池セルで挟まれているため、このような放熱性を確保できず、放熱性が他の電池セルに比べて劣る。かといって、電池セル同士の間隔を広くすると、放熱性は確保できるものの、外ケースの幅がこれに応じて肥大化し、電池パックの大型化が不可避となる。
【００３１】
このような状況において本発明者らは各電池セルの放熱性を鋭意研究したところ、意図的に温度差を設けて熱の移動を促進することで、放熱性が改善されることを見出し、本発明を成すに至った。すなわち、従来のように各電池セル間の間隔を均一とする配置でなく、中間の電池セルについては、その両側の電池セルとの間隔を意図的に異ならせることで、電池セルの左右で温度差を生じさせ、この温度差でもって熱の移動を生じさせる。このように熱の移動を生じさせと、熱の籠もりが回避されて放熱が促進され、もって放熱性能を改善できることが判明した。特に、間隔を広くした側に熱を案内できるため、この空間が放熱空間となって電池セルからの熱の移動が促進される。
【００３２】
図５、図６の例では、平行に並べられた電池セル１Ａ、１Ｂ、１Ｃの内、電池セル１ＡとＣとの間は第一リブ１８として従来同様狭くし、その一方で電池セル１Ａと１Ｂの間に幅広の第二リブ１９を設けている。これによって、中間に配置された電池セル１Ｂの放熱性を、電池セル１Ａとの界面において第二リブ１９によって幅広に設けられた空間から放熱性し易くし、第二リブ１９側に熱を移動させて放熱性を高め、本来的に隅部に位置する電池セルよりもセル温度が高くなり易く、他の電池セルとの温度差が開きやすい状況を改善して、電池セルの劣化のばらつきを抑制できる。
【００３３】
加えて、第二リブ１９には、第一ケース１１及び第二ケース１２のボス１６を挿入するためにボス穴１７を開口している。すなわち、電池セル１同士の間を拡大したことで、ここに外ケース１０のねじ止めのためのボス１６を配置することが可能となる。この結果、外ケース１０の中間部位で第一ケース１１と第二ケース１２を固定することが可能となり、これらの連結強度を向上できる。
【００３４】
第二リブ１９の幅は、外ケース１０の螺合用のボス１６を挿通できる間隔とする。また第二の幅ｄ2を、好ましくは第一の幅ｄ1の３倍以上とすることで、中間の電池セル１Ｂの放熱性の差を際立たせて、熱の移動を誘起する効果を顕在化できる。
【００３５】
以上のように本発明によれば、電池セル間の放熱性を意図的に異ならせて放熱性の相違による熱の移動を誘起させ、もって放熱性を向上させることが可能となる。
（回路基板３０）
【００３６】
回路基板３０には、電池セル１の放電電流を電力変換する電力変換回路や、電池セル１の温度やセル電圧等の状態を監視する監視回路等の電子回路を実装することもできる。なお図５の例では、３本の電池セル１は互いに並列に接続されているため、セル電圧と全体の総電圧が等しくなっている。例えば電池セルを直列に接続する場合は、電池セルの端面同士を接続するリード板からの電位を測定することで、セル電圧を検出する。また電池セル１には、温度センサも接続しており、セル温度を検出して監視回路で所定の閾値温度を超えないよう監視し、閾値温度を超えた場合は充放電を停止するなどの処理を行う。
【００３７】
さらに回路基板３０は、出力端子３１と給電端子３２を備えている。ここでは、出力端子３１であるＵＳＢのコネクタを回路基板３０上に直接実装した状態で、回路基板３０を電池ホルダー２０に固定して外ケース１０に収納すると、外ケース１０に設けられた窓部１４から出力端子３１が表出するように構成されている。これによって、出力端子３１の位置決めが図られ、組立によって出力端子３１が所定の窓部１４から表出するように構成できる。同様に給電端子３２も、回路基板３０上の所定の位置に実装することで、組み立てられた外ケース１０の所定の窓部１４から表出するよう構成される。加えて釦３３と対応する位置に、回路基板３０上には電源スイッチ３４が実装されている。またこれらの端子類は、必要に応じて防水を図ることもできる。例えばゴム製の防水キャップ等で非使用時にはこれらの端子を閉塞するようにする。
【００３８】
上述の通り、この電池パック１００は、図２に示すように外部の電気機器ＢＤと接続して、この電気機器ＢＤに対して電力を供給でき、電気機器ＢＤを駆動したり、これに代えてあるいはこれに加えて、電気機器ＢＤに内蔵される二次電池を充電する。また、電池セル１の残容量が低下すると、これを充電するため、図７に示すように、給電端子３２にＵＳＢケーブル等を接続して、外部のＡＣアダプターやＵＳＢ給電などによって電池セル１を充電できる。
（無接点充電）
【００３９】
さらにこの電池パック１００は、図８に示すように、充電台５０に載置して、充電台５０から送出される電力でもって無接点で電池セル１を充電することも可能としている。このため電池パック１００は、図４の分解斜視図に示すように受電コイル４０を備えている。受電コイル４０は、電池ホルダー２０の背面側に固定されており、受電コイル４０の端縁は回路基板３０上に実装された充電回路と接続される。この受電コイル４０は図９、図１０の垂直断面図に示すように、第二ケース１２の内面側に面して固定され、電池パック１００を充電台５０に載置することで、受電コイル４０を充電台５０に近接させる。
【００４０】
一方充電台５０側には、送電コイル５１が設けられており、送電コイル５１と受電コイル４０とを電磁結合させることによって、送電コイル５１からの電力を受電コイル４０側で受領でき、これを電力変換して電池セル１を充電することが可能となる。このような無接点充電を行うため、充電台５０の送電コイル５１と、受電コイル４０を対向させるように、電池パック１００を充電台５０に載置する必要がある。このため電池パック１００と充電台５０との間に、位置決め機構を設けている。このような位置決め機構としては、例えば充電台側に電池パックの外形に応じた枠体を形成したり、電池パックと充電台との接合面に凹凸や突起と孔を設けて嵌合させる構造とするなど、機械的なガイド機構が利用できる。あるいは電池パックと充電台との接触面に磁力と金属板を配置し、磁力によって吸引させて位置決めする方法、あるいは充電台の内面で送電コイルをＸＹ平面に沿って移動可能とし、送電コイルを受電コイルの位置に応じて移動させる方式などとしてもよい。
（実施例２）
【００４１】
以上の例では、有線接続による充電に限らず、無接点でも充電可能な電池パックの例を示したが、本発明の電池パックはこのような無接点機能を備えるタイプに限定しない。無接点機能を省いた電池パックの例を、実施例２として図１１の分解斜視図に示す。この図に示す電池パック２００は、受電コイルを備えておらず、他の部材は実施例１と共通としており、実施例１と同じ符号を付して詳細説明を省略する。この電池パック２００は、有線による充電によって、同様に電池セル１を充電できる。また受電コイルを省略した分、構成を簡素化してコストを削減できる。
【産業上の利用可能性】
【００４２】
本発明に係る電池パックは、携帯電話やスマートフォン、タブレット（スレート）ＰＣ、携帯型音楽プレーヤ等を充電する緊急充電器、あるいは緊急充電器を充電するための充電器等として好適に利用できる。
【符号の説明】
【００４３】
１００、２００…電池パック
１、１Ａ、１Ｂ、１Ｃ…電池セル
１０…外ケース
１１…第一ケース
１２…第二ケース
１４…窓部
１６…ボス
１７…ボス穴
１８…第一リブ
１９…第二リブ
２０…電池ホルダー
３０…回路基板
３１…出力端子
３２…給電端子
３３…釦
３４…電源スイッチ
４０…受電コイル
４２…ねじ
５０…充電台
５１…送電コイル
２０１…円筒形電池
２０２…外ケース
２０３…絶縁ホルダー
２０４…回路基板
２０８…出力コネクタ
２０９…電池組立
２１３…スイッチ
２１８…入力コネクタ
ＢＤ…電気機器
ｄ1…第一の幅
ｄ2…第二の幅
【図１】
2013246906.tif 000003
【図２】
2013246906.tif 000004
【図３】
2013246906.tif 000005
【図４】
2013246906.tif 000006
【図５】
2013246906.tif 000007
【図６】
2013246906.tif 000008
【図７】
2013246906.tif 000009
【図８】
2013246906.tif 000010
【図９】
2013246906.tif 000011
【図１０】
2013246906.tif 000012
【図１１】
2013246906.tif 000013
【図１２】
2013246906.tif 000014